(57)【要約】【課題】  紙種や経時劣化による原稿のすべりが発生しても正常な画像が得られる安価な原稿読み取り装置を提供する。【解決手段】  複数のパンチ穴のある原稿を搬送しつつ読み取り、読み取った画像データを処理する原稿読み取り装置において、読み取った画像データからパンチ穴の位置を検出し、それぞれのパンチ穴の位置関係をもとに、原稿読み取り時の原稿搬送のすべりを検出することで、当該原稿の再スキャンの要否を判定する。あるいは原稿搬送のすべりが生じた領域の画像の伸びを特定し、先に検出した原稿搬送のすべりの量だけ、画像の伸びの部分を切り縮める。【選択図】  図３
2008042841.tif 000002
【特許請求の範囲】
【請求項１】
複数のパンチ穴のある原稿を搬送しつつ読み取り、読み取った画像データを処理する原稿読み取り装置において、
読み取った画像データからパンチ穴の位置を検出する、パンチ穴検出処理手段と、
前記パンチ穴検出処理手段で得られたパンチ穴の位置情報より、原稿搬送時のすべりの有無を判定する、すべり検出手段とを備えたことを特徴とする原稿読み取り装置。
【請求項２】
請求項１の原稿読み取り装置において、前記すべり検出手段は、
原稿搬送時のすべりの有無と、
原稿搬送時のすべりの量と、
原稿搬送時のすべりの生じた原稿中の領域とを判定することを特徴とする原稿読み取り装置。
【請求項３】
複数のパンチ穴のある原稿を搬送しつつ読み取り、読み取った画像データを処理する原稿読み取り装置において、
読み取った画像データからパンチ穴の位置を検出する、パンチ穴検出処理手段と、
標準的なパンチ穴の位置情報を記録した、標準パンチ穴パターンと、
前記パンチ穴検出処理手段で得られたパンチ穴の位置情報と、前記標準パンチ穴パターンとを比較することにより、原稿搬送時のすべりの有無と、
原稿搬送時のすべりの量と、
原稿搬送時のすべりの生じた原稿中の領域とを判定する、すべり検出手段とを備えたことを特徴とする原稿読み取り装置。
【請求項４】
請求項３の原稿読み取り装置において、前記標準パンチ穴パターンは、原稿サイズと、パンチ穴列の中心に対する対称性の有無と、原稿端部からのパンチ穴列の距離と、パンチ穴相互の距離とで記述されることを特徴とする原稿読み取り装置。
【請求項５】
請求項３の原稿読み取り装置において、前記すべり検出手段ですべりが検出された場合、原稿の再スキャンの要否を問い合わせる問い合わせ手段とを備えたことを特徴とする原稿読み取り装置。
【請求項６】
請求項３の原稿読み取り装置において、複数ページの原稿を読み取る際に、前記すべり検出手段ですべりが検出されたページを記録する、すべり発生ページ記録手段と、原稿全体の再スキャンの要否を問い合わせる問い合わせ手段とを備えたことを特徴とする原稿読み取り装置。
【請求項７】
請求項３の原稿読み取り装置において、前記原稿搬送時のすべりの生じた原稿中の領域から、すべりによって生じた原稿の画像のび発生部分を検出する、画像のび検出手段と、
前記画像のび検出手段により検出された画像ののびの部分を、読み取った画像データより、前記原稿搬送時のすべりの量だけ削除する、伸び削除手段とを備えたことを特徴とする原稿読み取り装置。
【請求項８】
請求項４の原稿読み取り装置において、前記原稿搬送時のすべりの生じた原稿中の領域から、すべりによって生じた原稿の画像のび発生部分を検出する、画像のび検出手段と、
前記画像のび検出手段により検出された画像ののびの部分を、読み取った画像データより、前記原稿搬送時のすべりの量だけ削除する、伸び削除手段とを備えたことを特徴とする原稿読み取り装置。
【発明の詳細な説明】
【技術分野】
【０００１】
本発明は、イメージスキャナ、ファクシミリ装置、複写機などに用いる原稿処理装置に係わり、特に、搬送しつつ原稿を読み取り、読み取った画像データに処理を施す原稿処理装置に関する。
【背景技術】
【０００２】
従来より搬送しつつ原稿を読み取る原稿移動型の原稿処理装置では、原稿が搬送ローラによって搬送され、スキャナユニットにより原稿が読み取られる。ところが、かような原稿処理装置では紙の種類・状態あるいは読み取り装置の部品の経時劣化などによって原稿のすべりが発生しやすくなるという問題がある。紙については紙粉などによる摩擦の低下によるものがあり、部品については生産時における機械的な製造ばらつき、精度のばらつきが発生する。初期状態での性能には問題なくとも、このように紙粉などによる摩擦の低下、部品の経時劣化により原稿のすべりが生じ、この部分について読み取った画像が伸びて品位が劣化する、あるいは使用不可能な場合がある。このような問題を解決するために、特開平７−２９７９９９号公報に示された従来技術では、所定の長さの原稿を予め搬送させて、原稿移動に同期して発生するモータのパルス数を記憶させておき、実際に読み取りを行う際にも同様にしてパルス数を検出し、２つのパルス数を比較することにより補正を行う。また、特開２００２−２３２６５６号公報に示された従来技術では、読み取り中の原稿移動速度を検出して原稿上の位置に対応付けて保存し、この検出された速度に応じた画像処理をそれぞれの原稿位置において施すことで補正を行う。
【特許文献１】特開平７−２９７９９９号公報
【特許文献２】特開２００２−２３２６５６号公報
【発明の開示】
【発明が解決しようとする課題】
【０００３】
しかしながら、特開平７−２９７９９９号公報の方式では、原稿全体に一律に縮小を施すために、すべりが発生した部位の局所的な画像の伸び自体は解消されないこと、工場にて所定のサイズの原稿を何種類も通す必要があること、など種々の問題点がある。また、特開２００２−２３２６５６号公報の方法でも原稿移動速度を検出するために、原稿移動に追随して回転する従動ローラと、これに取り付けられたエンコーダ等のハードウェアを付加する必要があり、装置の製造コストが増大してしまうという問題点がある。
【０００４】
そこで、本発明は原稿読み取り装置あるいは原稿搬送装置などの原稿処理装置において、原稿のすべりが発生してしまう点に着目し、紙の種類・状態あるいは経時劣化による原稿のすべりが発生しても正常な画像が得られる原稿処理装置を提供することを目的とする。
【課題を解決するための手段】
【０００５】
ところで、単票原稿を保管する際には、ＪＩＳ  Ｚ  ８３０３（多穴−Ｂ５縦２６穴、Ａ４縦３０穴）、やＦＢＡ（Ｆｉｌｅ  ＆  Ｂｉｎｄｅｒ  Ａｓｓｏｃｉａｔｉｏｎ  Ｊａｐａｎ：  ６穴、４穴、３穴）の規格に従い、用紙に穿孔を設け、それぞれの規格に応じたファイル・バインダを用いて綴じることが、一般によく行われている。
【０００６】
前記した課題を解決するために、請求項１の発明では、このような規格に従って穿孔された複数のパンチ穴のある原稿を搬送しつつ読み取り、読み取った画像データを処理する原稿読み取り装置において、読み取った画像データからパンチ穴の位置を検出する、パンチ穴検出処理手段と、前記パンチ穴検出処理手段で得られたパンチ穴の位置情報より、原稿搬送時のすべりの有無を判定する、すべり検出手段とを備えた。
【０００７】
また請求項２の発明では、請求項１の発明において、すべり検出手段は、原稿搬送時のすべりの有無に加え、原稿搬送時のすべりの量と、原稿搬送時のすべりの生じた原稿中の領域とを判定する構成にした。
【０００８】
また請求項３の発明では、複数のパンチ穴のある原稿を搬送しつつ読み取り、読み取った画像データを処理する原稿読み取り装置において、読み取った画像データからパンチ穴の位置を検出する、パンチ穴検出処理手段と、標準的なパンチ穴の位置情報を記録した、標準パンチ穴パターンと、前記パンチ穴検出処理手段で得られたパンチ穴の位置情報と、前記標準パンチ穴パターンとを比較することにより、原稿搬送時のすべりの有無と、原稿搬送時のすべりの量と、原稿搬送時のすべりの生じた原稿中の領域とを判定する、すべり検出手段とを備えた構成にした。
【０００９】
請求項４の発明では、請求項３の発明において、標準パンチ穴パターンが、原稿サイズ・パンチ穴列の中心に対する対称性の有無・原稿端部からのパンチ穴列の距離・パンチ穴相互の距離とで記述される構成にした。
【００１０】
また請求項５の発明では、請求項３の発明において、すべり検出手段ですべりが検出された場合に、原稿の再スキャンの要否を問い合わせる問い合わせ手段とを備えた構成にした。
【００１１】
また請求項６の発明では、請求項３の発明において、複数ページの原稿を読み取る際に、すべりが検出されたページを記録する、すべり発生ページ記録手段と、原稿全体の再スキャンの要否を問い合わせる問い合わせ手段とを備えた構成とした。
【００１２】
また請求項７の発明では、請求項３の発明において、前記原稿搬送時のすべりの生じた原稿中の領域から、すべりによって生じた原稿の画像のび発生部分を検出する、画像のび検出手段と、前記画像のび検出手段により検出された画像ののびの部分を、読み取った画像データより、前記原稿搬送時のすべりの量だけ削除する、伸び削除手段とを備えた構成とした。
【００１３】
また請求項８の発明では、請求項４の原稿読み取り装置において、前記原稿搬送時のすべりの生じた原稿中の領域から、すべりによって生じた原稿の画像のび発生部分を検出する、画像のび検出手段と、前記画像のび検出手段により検出された画像ののびの部分を、読み取った画像データより、前記原稿搬送時のすべりの量だけ削除する、伸び削除手段とを備えた構成とした。
【発明の効果】
【００１４】
本発明によれば請求項１の発明では、複数のパンチ穴のある原稿を搬送しつつ読み取り、読み取った画像データを処理する原稿読み取り装置において、読み取った画像データからパンチ穴の位置を検出する、パンチ穴検出処理手段と、前記パンチ穴検出処理手段で得られたパンチ穴の位置情報より、原稿搬送時のすべりの有無を判定する、すべり検出手段とを備えることにより、附加ハードウェアを加えることなく原稿搬送時のすべりの有無を確実に安価に実現できる。
【００１５】
また請求項２の発明では、原稿搬送時のすべりの量と、原稿搬送時のすべりの生じた原稿中の領域とを判定することができる。
【００１６】
また請求項３の発明では、複数のパンチ穴のある原稿を搬送しつつ読み取り、読み取った画像データを処理する原稿読み取り装置において、読み取った画像データからパンチ穴の位置を検出する、パンチ穴検出処理手段と、標準的なパンチ穴の位置情報を記録した、標準パンチ穴パターンと、前記パンチ穴検出処理手段で得られたパンチ穴の位置情報と、前記標準パンチ穴パターンとを比較することにより、原稿搬送時のすべりの有無と、原稿搬送時のすべりの量と、原稿搬送時のすべりの生じた原稿中の領域とを判定する、すべり検出手段とを備えた構成にしたことにより、標準パンチ穴パターンに従ったパンチ穴を持つ原稿については、より確度の高いすべり判定を行うことが可能になった。
【００１７】
請求項４の発明では、請求項３の発明において、標準パンチ穴パターンが、原稿サイズ・パンチ穴列の中心に対する対称性の有無・原稿端部からのパンチ穴列の距離・パンチ穴相互の距離とで記述される構成にしたことにより標準パンチ穴パターンの必要十分な定義の一例を示した。
【００１８】
また請求項５の発明では、請求項３の発明において、すべり検出手段ですべりが検出された場合に、原稿の再スキャンの要否を問い合わせる問い合わせ手段とを備えた構成にして、実際の操作系においての確実な画像読み取りを可能にした。
【００１９】
また請求項６の発明では、請求項３の発明において、複数ページの原稿を読み取る際に、すべりが検出されたページを記録する、すべり発生ページ記録手段と、原稿全体の再スキャンの要否を問い合わせる問い合わせ手段とを備えた構成により、複数ページの原稿についても、簡便に確実な画像の読み取りを可能にした。
【００２０】
また請求項７と８の発明では、請求項３と４の発明において、前記原稿搬送時のすべりの生じた原稿中の領域から、すべりによって生じた原稿の画像のび発生部分を検出する、画像のび検出手段と、前記画像のび検出手段により検出された画像ののびの部分を、読み取った画像データより、前記原稿搬送時のすべりの量だけ削除する、伸び削除手段とを備えた構成により、原稿搬送のすべりによって生じた画像ののびを、簡便かつ確実に修正し、確実な画像読み取りを可能にした。
【発明を実施するための最良の形態】
【００２１】
（実施例１）
以下、本発明の実施の形態を図面を参照しつつ説明する。図１は本発明の第１の実施例を示すブロック図であり、図中原稿読取装置１００は、ＩＦ制御部１０１、主制御部１０２、原稿搬送制御部１０３、画像読取制御部１０４、ＡＤＦ１０５、第１原稿搬送ローラ１０６、第２原稿搬送ローラ１０７、グレー基準ローラ１０８、レジストセンサ１０９、読取タイミングセンサ１１０、スキャナＣＣＤセンサ１１１より構成され、また図中ホスト装置１１８は、ＩＦ制御部１１２、画像処理部１１３、画像メモリ１１４、主制御部１１５、ＣＲＴ等の表示装置１１６、キーボード／マウスなどの入力装置１１７より構成され、原稿読取装置１００とホスト装置１１８はインターフェイス１１９により接続されている。
【００２２】
図２は本発明の第１の実施例を示す構成図であり、ＡＤＦ（自動原稿搬送装置）に積載された原稿２０７、第１原稿搬送ローラ２０１、第２原稿搬送ローラ２０２、既知の反射率（ここでは５０％）を持つグレー基準ローラ２０３、スキャナ２０４、読み取りタイミングセンサ２０５、レジストセンサ２０６からなっている。図中スキャナＣＣＤセンサと第２原稿搬送ローラ間の距離をＬ１（２０８）で示し、読み取りタイミングセンサとスキャナＣＣＤセンサとの距離をＬ２（２０９）で示す。
【００２３】
次いで、本実施例の動作をフローチャートを用いつつ説明する。図３は本実施例の全体フローチャートである。搬送されてきた原稿について、まずページスキャン処理段Ｓ３０１で原稿ページ全体のイメージデータを画像メモリ（図１・１１４）に書き込む。次いでパンチ穴検出処理段Ｓ３０２で原稿イメージデータ中のパンチ穴位置を検出、パンチ穴パターン判定処理段Ｓ３０３で予め記録された標準パンチ穴パターンとの比較を行い、合致する標準パンチ穴パターンの特定を行う。続く原稿搬送すべり判定段Ｓ３０４で合致標準パンチ穴パターンとイメージデータ上のパンチ穴位置とのずれにより、原稿搬送時のすべり量を検出し、一定閾値以上のすべり量について、すべりが発生したと判定する。すべりが発生しなかった場合には処理を終了し、得られたスキャン画像をそのまま採用する。すべりが発生した場合には図４に示すように、スキャン中に原稿搬送のすべりを検出したことを操作者に説明し、再スキャンの要否を選択させるダイアログを表示する（Ｓ３０６）。ここで操作者により再スキャンが不要と指定された場合にも、処理を終了し、得られたスキャン画像をそのまま採用する。再スキャンが指定された場合には、更に図５に示すように、再スキャンのために用紙をセットすることを操作者にうながすダイアログを表示する（Ｓ３０７）。操作者が用紙をセットし、図５のＯＫボタンを押下すると、処理は再びＳ３０１のページスキャン処理に戻る。
【００２４】
次に、図３のフローチャート中のページスキャン処理Ｓ３０１について、より詳細に説明する。図６はページスキャン処理の動作を説明するフローチャートである。まずＡＤＦ（１０５／２０７）により搬送されてきた原稿はレジストセンサ（１０９／２０６）により検出され（Ｓ６０２）、これにより原稿搬送制御部（１０３）が第１搬送ローラ（１０６／２０１）、第２原稿搬送ローラ（１０７／２０２）、グレー基準ローラ（１０８／２０３）の回転を開始させるとともにスキャナの光源を点灯させ、シェーディング補正を行う。読取タイミングセンサ（１１０／２０５）が原稿先端を検知すると（Ｓ６０５でＹＥＳ）、読み取りタイミングセンサとスキャナとの間の距離Ｌ２（２０９）だけ更に原稿を搬送し（Ｓ６０６）、１ライン分の読み取りを行い、画像メモリ（１１４）に書き込む（Ｓ６０８）。いったん読み取りが開始されると、読み取りタイミングセンサがＯＮである、あるいはＯＦＦになってからの原稿搬送量がＬ２（２０９）に満たない間は原稿の読み取りを継続する（Ｓ６０９）。読み取りタイミングセンサがＯＦＦになり、更にＬ２以上の原稿搬送が行われると読み取りを完了し、スキャナの光源を消灯する（Ｓ６１０）。さらに図２に示すスキャナと第２原稿搬送ローラ間距離Ｌ１（２０８）を超える長さの原稿搬送を行い、原稿を排出する（Ｓ６１１）。原稿排出の後に、第１搬送ローラ、第２原稿搬送ローラ、グレー基準ローラの回転を停止する（Ｓ６１２）。
【００２５】
次に図２のフローチャート中のパンチ穴検出処理Ｓ３０２について詳細に説明する。図７（ａ）は白地原稿中にあるパンチ穴を示す模式図、図７（ｂ）はパンチ穴とそうでない部分の画像信号レベルの一例を示す特性図である。本実施例では、パンチ穴は規格によらず直径３〜７ｍｍの円形であるとする。パンチ穴が存在する部分については、グレー基準ローラ２０３の表面がそのままスキャンされるために、パンチ穴の内部の信号レベルはその反射率に対応した値をとる。よってページ原稿データの中にグレー基準ローラ部分と同一の信号レベルを持ち、かつ直径３〜７ｍｍの円形の部分があれば、これをパンチ穴として推定することが可能である。
【００２６】
図９に、パンチ穴検出処理Ｓ３０２によって検出されたパンチ穴位置を図示する。９０１は画像メモリ１１４に記憶されたページスキャン画像、９０２はそのうち原稿の領域、Ｃ１（９０３）、Ｃ２（９０４）は原稿の角端部、ａｎ（ａ１・・・ａｎ）（９０５）は、原稿領域９０２中に検出されたｎ個のパンチ穴列である。
【００２７】
パンチ穴の検出が完了したページ原稿データについては、Ｃ１、Ｃ２の座標をホスト装置１１８中不図示の用紙サイズ記憶手段に、検出されたパンチ穴の中心ａ１・・・ａｎについて、それぞれの座標をホスト装置１１８中不図示のパンチ穴位置記憶手段に保存する。
【００２８】
次に図２のフローチャート中のパンチ穴パターン判定処理Ｓ３０３について詳細に説明する。本実施例では、パンチ穴パターンは図１０にて図示される各々の値によって記述されるものとする。即ち、原稿サイズ、パンチ穴列の中央点に対する対称性の有無、各パンチ穴の中心の、原稿端からの距離ｄ（１００３）、第ｎ−１番目の穴と第ｎ番目の穴の間隔（ｅｎ-1）（１００４）。これらを原稿サイズごとに表にまとめたものが図１１で、これを標準パンチ穴位置テーブルと呼ぶ。（本実施例では、それぞれのパンチ穴はページ端部から一定の距離ｄに一列に並んでいるものとする。）
本実施例では前段のパンチ穴位置検出段で検出されたパンチ穴位置をもとに、これと一致する標準パンチ穴位置テーブルがあるかどうかの判定を以下の手順で行う。まず、保存されたページ端部Ｃ１、Ｃ２の座標をもとに、原稿の用紙サイズが標準原稿サイズの何れに合致するかを判定する。次いで、直近のページ端からの距離ｄを算出する。読み取った原稿が搬送方向に対して斜行していなかった場合には、ｄ＝（Ｃ２のＸ座標（ｃ２ｘ）−パンチ穴ａｎのＸ座標（ａｎｘ）、ｎの値によらず一定）となる。更に各パンチ穴の中心間の間隔ｅｎ（＝ａｎ＋１ｙ−ａｎｙ）をそれぞれのパンチ穴位置について求め、これらｄ、ｅｎの値を当該原稿サイズの標準パンチ穴位置テーブルに登録されたそれぞれの値と順次比較する。パンチ穴位置が中央に対して対称でないテーブルについては、これに加えてパンチ穴間隔列を逆方向から比較する必要がある。
【００２９】
テーブルに登録された値のうち良く一致するものがあれば、これを原稿のパンチ穴テーブルとして採用することができる。続くＳ３０４では一致するテーブルが見つかった場合に、原稿のパンチ穴間隔と標準テーブルのパンチ穴間隔を改めて順次比較し、ある閾値以上にひろがっているものについて、原稿読み取り時の搬送でスリップが生じたものと判定することができる。
【００３０】
本実施例においてはパンチ穴検出段で検出した穴位置を、予め記憶してある標準パンチ穴位置テーブルと比較することによりパンチ穴パターンの特定を行い、これをもとにして原稿搬送精度の検証をおこなっているが、原稿がコンピュータ・フォームのスプロケット穴やＪＩＳ  Ｚ  ８３０３に規定されるような場合には、パンチ穴間隔はそれぞれ１２．７ｍｍ／９．５ｍｍ等で一定の値をとる。このような原稿であると予め特定できるような場合については、図３におけるＳ３０３、Ｓ３０４の手順を踏むことなく、検出されたパンチ穴相互の間隔が所定の値より大きくなっているかどうかを評価することにより、原稿読み取り時に搬送スリップが発生かどうかの判定を、より簡略に行うこともできる。
【００３１】
本実施例では図４のようなダイアログを用いているが、図１２に示すように、スキャンされたページ画像を縮小表示して、実際にスリップが生じているかどうかを操作者に視認させた上で、再スキャンの要否を判定させても良い。更にはＳ３０４において、実際に原稿のどのエリアでスリップが発生したかが判定できるので、図１２のプレビュー画像のスリップが発生していると判定された部分以外について薄くアミをかけて表示し、ユーザの判定を支援することも可能である。（図１３）
（実施例２）
第１の実施例では一枚の原稿について搬送すべりが発生したかどうかを判定し、再スキャンの要否を操作者に選択させていたが、本実施例ではＡＤＦで連続給紙される複数枚の原稿について、各ページのスキャン後に原稿搬送でのすべりの有無を判定、すべりを検出したページを記録し、これらのページについて再度スキャンを実施する。）
次に本発明の他の実施の形態を図面を参照しつつ説明する。図１は本発明の第２の実施例のブロック図、図３はその構成図であり、第１の実施例と共通である。次に本発明の動作について、フローチャートを参照しつつ説明する。図１４は本実施例の全体フローチャートである。Ｓ１４０１で搬送されてきた原稿について、まずＳ１４０２で要スキャン原稿かどうかの判定を行う。初めてのページは必ずスキャンされ、再スキャン時には不図示のすべり発生ページ記録テーブルを参照し、以前にすべりが検出されているページについてのみ再度スキャンを実行、そうでない原稿については原稿を排出して後述するＳ１４０９にうつる。ページスキャン処理段Ｓ１４０４で原稿ページ全体のイメージデータを画像メモリ１１４に書き込む。再スキャンされたページについては、新たなイメージデータで、元の同一ページのイメージデータを置換する。次いでパンチ穴検出処理段Ｓ１４０５で原稿イメージデータ中のパンチ穴位置を検出、パンチ穴パターン処理段Ｓ１４０６で予め記録された標準パンチ穴パターンとの比較を行い合致する標準パンチ穴パターンを特定する。続く原稿搬送すべり判定段１４０７で合致した標準パンチ穴パターンとイメージデータ上のパンチ穴位置とのずれにより原稿搬送時のすべり量を検出し、一定閾値以上のすべり量について、すべりが発生したと判定する。すべりが発生したと判定された場合には、Ｓ１４０８でそのページ数を不図示のすべり発生ページ記録テーブルに記録し、次の処理に進む。Ｓ１４０９では原稿に残りのページがあるかどうかを確認する。残りのページがある場合にはＳ１４０１に戻って、次のページのスキャンを行う。原稿の全てのページについてのスキャンが完了すると、Ｓ１４１０で不図示のすべり発生ページ記録テーブルを参照し、すべりの発生したページが存在するかどうかを判定する。すべりが発生したページがあった場合にはＳ１４１１にて、図４に示すようなダイアログを表示し、操作者に再スキャンの要否を選択させる。操作者が再スキャン要とした場合には、Ｓ１４１２にて更に図５に示すようなダイアログを表示し、操作者は排出されている全てのページの原稿を改めてスキャン原稿２０７としてＡＤＦにセットする。この後図５のＯＫボタンをクリックすると、制御は再びＳ１４０１に戻る。本実施例では、スキャン原稿は予めセットされていたページ順どおりに排出されるものとする。Ｓ１４１０にて原稿中にすべりがなかった場合、もしくはＳ１４１１にて操作者が再スキャンを指定しなかった場合にはＳ１４１３にて全ページのスキャン完了とする。Ｓ１４０４のページスキャン処理は、第１の実施例の図３Ｓ３０１の処理と同等、同様にＳ１４０５のパンチ穴検出処理、Ｓ１４０５のパンチ穴検出処理、Ｓ１４０６のパンチ穴パターン判定処理はそれぞれＳ３０２、Ｓ３０３、Ｓ３０４と同等であるので、処理の詳細についての記述は省略する。
【００３２】
（実施例３）
実施例１、２ではいずれも原稿すべりが発生したと判定された原稿について、再スキャンを行うことにより、より品位の高いスキャン画像を得ていたが、本発明の第３の実施例においては原稿中のすべりが発生した部分が特定できることを利用し、さらにスキャン画像のこの部分について原稿搬送方向に「伸び」が生じている部分を検出し、先に得られたすべり量だけこの伸びをスキャン画像から切り詰めることにより、自動的にすべりによって生じた画像の乱れを補正するものである。次に本発明の第３の実施の形態を図面を参照しつつ説明する。図１は本発明の第３の実施例のブロック図、図３はその構成図であり、第１の実施例と共通である。次に本発明の動作について、フローチャートを参照しつつ説明する。図１５は本実施例の全体フローチャートである。ここでは単一のページについて、第１の実施例との相違点を中心に説明する。
【００３３】
搬送されてきた原稿について、まずページスキャン処理段Ｓ１５０１で原稿ページ全体のイメージデータを画像メモリ１１４に書き込む。次いでパンチ穴検出処理段Ｓ１５０２で原稿イメージデータ中のパンチ穴位置を検出、パンチ穴パターン判定処理段Ｓ１５０３で予め記録された標準パンチ穴パターンとの比較を行い、合致する標準パンチ穴パターンの特定を行う。続く原稿搬送すべり判定段Ｓ１５０４で合致標準パンチ穴パターンとイメージデータ上のパンチ穴位置とのずれにより、原稿搬送時のすべり量を検出し、一定閾値以上のすべり量について、すべりが発生したと判定する。すべりが発生しなかった場合には処理を終了し、得られたスキャン画像をそのまま採用する。すべりが発生した場合にはＳ１５０６の自動補正処理段により、原稿イメージデータの、原稿搬送時のすべりが検出された領域に現れた画像の「のび」を探し、この部分を検出されたすべり量だけ削除することにより、スキャン画像の原稿搬送によるすべりを補正する（図８）。
【産業上の利用可能性】
【００３４】
本発明は、複写機、ファクシミリ、スキャナなどで用いられる原稿読み取り装置のうち、原稿を搬送しつつ読み取りを行い、かつ原稿にパンチ穴が穿孔されているものについて、利用可能性を持つ。
【図面の簡単な説明】
【００３５】
【図１】本発明の第１の実施例のブロック図である。
【図２】本発明の第１の実施例の構成図である。
【図３】本発明の第１の実施例の動作を説明するフローチャートである。
【図４】本発明の第１の実施例で表示される再スキャン問い合わせダイアログを示す。
【図５】本発明の第１の実施例で表示される再スキャン準備完了ダイアログを示す。
【図６】本発明の第１の実施例のページスキャン処理ステップの詳細を説明するフローチャートである。
【図７】（ａ）本発明の第１の実施例でパンチ穴検出処理を説明するパンチ穴の模式図を示し、（ｂ）本発明の第１の実施例でパンチ穴検出処理を説明する、パンチ穴を横断する軸上での信号強度分布を示す。
【図８】本発明の第３の実施例の自動補正処理段の処理内容を説明する概念図である。
【図９】本発明の第１の実施例でパンチ穴検出処理での検出項目を説明する概念図である。
【図１０】本発明の第１の実施例で標準パンチ穴パターンの各項目を図示する概念図である。
【図１１】本発明の第１の実施例で標準パンチ穴パターンテーブルの記載例を示す表である。
【図１２】本発明の第１の実施例で表示される再スキャン問い合わせダイアログのその他の例を示す。
【図１３】本発明の第１の実施例で表示される再スキャン問い合わせダイアログのその他の例を示す。
【図１４】本発明の第２の実施例の動作を説明するフローチャートである。
【図１５】本発明の第３の実施例の動作を説明するフローチャートである。
【符号の説明】
【００３６】
１００  原稿読取装置
１０１  ＩＦ制御部
１０２  主制御部
１０３  原稿搬送制御部
１０４  画像読み取り制御部
１０５  ＡＤＦ
１０６  第１原稿搬送ローラ
１０７  第２原稿搬送ローラ
１０８  グレー基準ローラ
１０９  レジストセンサ
１１０  読み取りタイミングセンサ
１１１  スキャナＣＣＤセンサ
１１２  ＩＦ制御部
１１３  画像処理部
１１４  画像メモリ
１１５  主制御部
１１６  表示装置
１１７  入力装置
１１８  ホスト装置
１１９  インターフェイス
２０１  第１原稿搬送ローラ
２０２  第２原稿搬送ローラ
２０３  グレー基準ローラ
２０４  スキャナＣＣＤセンサ
２０５  読み取りタイミングセンサ
２０６  レジストセンサ
２０７  ＡＤＦに積載された原稿
２０８  スキャナＣＣＤセンサと第２原稿搬送ローラ間の距離Ｌ１
２０９  読み取りタイミングセンサとスキャナＣＣＤセンサとの距離Ｌ２
９０１  読み取りイメージデータ
９０２  原稿
９０３  原稿の端点Ｃ１
９０４  原稿の端点Ｃ２
９０５  原稿上のパンチ穴列ａｎ
１００１  原稿
１００２  原稿上のパンチ穴列
１００３  原稿端部からパンチ穴列までの距離ｄ
１００４  それぞれのパンチ穴間の距離ｅｎ
１６０１  原稿の模式図
１６０２  すべりが生じた原稿の読み取りイメージの模式図
１６０３、１６０４  すべりが生じた部分の前後のパンチ穴
１６０５  すべりによって画像ののびが生じた部分
【図１】
2008042841.tif 000003
【図２】
2008042841.tif 000004
【図３】
2008042841.tif 000005
【図４】
2008042841.tif 000006
【図５】
2008042841.tif 000007
【図６】
2008042841.tif 000008
【図７】
2008042841.tif 000009
【図８】
2008042841.tif 000010
【図９】
2008042841.tif 000011
【図１０】
2008042841.tif 000012
【図１１】
2008042841.tif 000013
【図１２】
2008042841.tif 000014
【図１３】
2008042841.tif 000015
【図１４】
2008042841.tif 000016
【図１５】
2008042841.tif 000017